(57)【要約】  【課題】  【解決手段】  上側部分（１０）と下側部分（６０）を有する機能的庭用デバイス。下側部分（６０）は、壁（６５）内の開口（６３）を通る庭用ホース（９０）の引き込み式ホースリール（８０）を具える。上側部分（１０）は、ホース収納部（６０）と別の、関連性のない機能を有しており、噴水、池、彫像、冷却収納領域、あるいは植物コンテナの一部を形成することができる。【選択図】    図１
2007508221.tif 000002
【特許請求の範囲】
【請求項１】
機能的アイテム全体の一部に含まれる引き込み式のホースリールを具えるホース収納デバイスにおいて、前記機能的アイテム全体が機能的使用１を具え、当該機能的使用が、ホース収納デバイスの機能２以外の使用であり、前記機能的アイテム全体が、機能的使用１を実行する別のアイテムであり、ホース収納デバイスの機能２を具えるものであることを特徴とするホース収納デバイス。
【発明の詳細な説明】
【技術分野】
【０００１】
発明の属する技術分野
本発明は、機能的な庭用品に含まれるアイテムの収納庫に関し、特に、ホースまたはホースリールの収納及びアクセス用容器に関する。ここでは、ホース収納容器が、ホース収納用器の機能と別の機能及び／又はこの機能に無関係な機能を有するアイテム全体の一部を占めている。
【背景技術】
【０００２】
発明の背景
明細書を通じての従来技術のあらゆる議論は、これらの従来技術が広く知られている、またはその分野の共通した一般的知識の一部をなすものであるとの承認として考えるべきではない。
【０００３】
米国特許第5,988,207号のKownackiと、米国特許第6,467,499号のMacey Smithは、庭用ホースの装飾的収納デバイスの使用を教示している。
【０００４】
従来技術に存在する問題の一つは、収納デバイスがしばしば使用したい位置から遠く離れたところに置かれており、ホースが短すぎたり、及び／又は、ホースリールが所望のタスクを実行するのに十分なホースを収納するためには、非常に大きくなくてはならなかったりすることである。特に、大きな庭では、庭の領域内に配置した目に見えないホースリール収納デバイスを有することは望まれていない。
【０００５】
もう一つの問題は、プラスチックなどの高価な材料が、少なくともホースリールカバーの一部を形成するのに使用されていることである。
【０００６】
更なる問題は、バルコニィのスペースや外の領域が制限されているアパートメントなどの場合、ある領域中のアイテム数を制限する必要があることである。
【０００７】
本発明の目的は、この従来技術の不利益の少なくとも一つを克服するまたは改良することであり、あるいは、有益な代替物を提供することである。
【０００８】
発明の概要
本発明の一の態様は、機能的なアイテム全体の一部の内部に含まれる引き込み式のホースリール付ホース収納デバイスに関し、この機能的アイテム全体が、ホース収納デバイス機能２以外の機能的使用１を具える。この機能的アイテム全体は、機能的使用１を実行する一方で、ホース収納デバイス機能２を具える一の独立したアイテムであってもよい。
【０００９】
前記デバイスの一部、好ましくは、デバイスの上側部分は、あらゆる有益な庭用アイテムを含むように、あるいは、庭用アイテムの一部をなすように使用することができる。例えば、限定するものではないが：
植木鉢を含む、あるいは植木鉢として機能する、及び／又は；
噴水または池を含む、あるいは噴水または池として機能する、及び／又は；
彫像または塑像を含む、あるいは彫像または塑像として機能する、あるいは彫像または塑像の一部を形成する、及び／又は；
照明手段を含む、あるいは照明手段として機能する、または照明手段の一部を形成する、及び／又は；
冷却されるあるいは加熱されるデバイスまたは収納領域を含む、あるいは、冷却されるあるいは加熱されるデバイスまたは収納領域として機能する；
といったものがある。
【００１０】
限定するものではないが、本発明の好ましい形は引き込み式のホースリールを含むのに適宜の直径と高さを有する甕または鉢である。この好ましい形状の上側部分は、この形状が噴水の一部を形成している場合は、防水性であることが好ましく、あるいは、下側部分に水が流れないように、および庭用ホースと引き込み式のホースリール機構を傷つけないような方法で、戦略的にドレインホールを、排水が植物の根から離れるように方向付けて配置するようにする。
【図面の簡単な説明】
【００１１】
本発明の好ましい実施例を、例示の方法で、添付図面を参照して説明する。
【図１】図１は、引き込み式のホース収納デバイスを具える甕または鉢の断面図である。この甕は、どのような好適な材料でできていても良いが、好ましくは、安価で壁が薄く、軽量であり、大量生産に適した製品を製造するのに好ましい、ファイバーガラス強化コンクリートを用いて形成されている。このデバイスは、庭、あるいは温室、あるいはアウトドア領域に好適なあらゆる機能アイテムを形成するように設計されており、このデバイスは、隠蔽された引き込み式のホース収納デバイスを含んでいる。
【００１２】
好ましい実施例の詳細な説明
限定するものではないが、本発明の好ましい形状は、引き込み式のホースリールを収納するのに適宜の直径および高さを有する甕または鉢である。この好ましい形状の上側部分は、この形状が噴水の一部を形成している場合は、防水性であることが好ましく、あるいは、下側部分に水が流れないように、および庭用ホースと引き込み式のホースリール機構を傷つけないような方法で、戦略的にドレインホールを、排水が植物の根から離れるように方向付けて配置するようにする。
【００１３】
図１は、容器上側部分１０と、その上に当該上側部分を載せた容器下側部分６０とで、構成された甕の断面図である。
【００１４】
容器上側部分１０は、ベース１５と、側部２０を具えており、これらは隣接して、耐水性容器を形成している。ベース１５は、側部２０を連結している外側周辺部の周囲にチャネル２５を具える。チャネル２５の目的は、容器上側部分が植物保持手段として使用される場合に、このチャネルがベース１５の上に落ちてくる水を回収して、ホール３０に方向付ける手段を提供することである。ホール３０は、チャネルのベース内の一またはそれ以上の位置に戦略的に配置されて、容器下側部分にあふれることなく、容器上側部分から排水を行う。
【００１５】
ホール３０の追加のホールは、別個の灌水源（図示せず）からの水に対するアクセスを提供するのに用いて、前記容器上側部分内に収納されているあらゆる植物に水を提供することもできる。
【００１６】
容器下側部分６０は、側部６５とベース７０から構成されており、前記側部の一つは、適宜の形状と大きさを持つ開口６３を有しており、必要に応じてホースリールからホース９０を排出できるように構成されている。この開口は、前記側部の溝の一部として形成されており（図示せず）、あらゆる「クリップ式」ホース取り付け具がこの溝の中に納まり、これによって、このホース取り付け具を隠すようになっている。前記開口６３は、縦型スロットに代えることができる。
【００１７】
前記容器下側部分６０は、引き込み式のホースリール８０と、軸端部に位置決め及び／又は締結手段８６および８７を有する支持軸８５とを具える。
【００１８】
側部６５またはベース７０は、一又はそれ以上のホール及び／又はチャネルを具えており、ホースリール上のホースへの水源、及び／又は、水を制御する光及び／又はポンプ及び／又はバルブを操作する電源などの、供給手段の連結を可能としている。このホース取り付け部、及び／又は、ホース及び／又は電源ケーブルの接続具は、容器下側部分６０の側部６５及び／又はベース７０に適宜形成された溝またはチャネル（図示せず）内に配置することができる。このような溝及び／又はチャネルは、前記供給手段の入り口を隠すあるいは偽装するように形成することができ、ベース７０のチャネルを設けた場合は、ホース、パイプ、あるいはケーブルが、デバイスの重量でつぶれないように、容器下側部分６０内に供給手段を入れるようにする。このような供給手段は、一またはそれ以上のスイッチ及び／又はバルブを具えており、水及び／又は電力の供給を、制限及び／又は調整及び／又は遮断できるようになっている。
【００１９】
前記容器下側部分は、ホースリール８０の下側端部と、ベース７０との間にスペース７５を有しており、このスペースがサンドバッグのような錘を取り付けて、リールからホースを引っ張るときに生じる力に対してデバイスを安定させるようにしても良い。代替的に、このデバイスは、公知の締結手段によって、デバイスが立っている面上の所望の位置にベース７０を固定することによって安定させることができる。
【００２０】
前記容器下側部分６０は、カバーピース６２（図示せず）を有するように構成しても良く、このピースに、公知の手段で、軸端部配置及び／又は締結手段８７を連結することができる。前記下側部分６０は、また、環状の軸端部配置及び／又は締結手段８６を位置決めする環状の位置決め手段を形成するラグまたはリッジのような、位置決めあるいはハウジング手段（図示せず）をベース７０の内側表面に設けるようにして、前記軸端部配置及び／又は締結手段８６が、ホースリールがホースの引き出しあるいは引き込みの際にストレスがかかるときに移動しないように抑制するようにすることができる。
【００２１】
別の実施例（図示せず）では、ベース１５を、側部２０から、軸８５の上方中心に下側ポイントホールへ、内側に向けて下向のスロープを作るように構成しても良い。軸８５は、中空形状をなし、ホール３０下の下側部分６０の側部６５を汚すことなく、排水が中空軸または中空軸内のドレインチューブを通って甕の外に流れ出るようにしてもよい。
【図１】
2007508221.tif 000003
【国際調査報告】
2007508221.tif 000004
2007508221.tif 000005
2007508221.tif 000006